(57)【要約】【課題】フィルタ及びそれを備えるプラズマディスプレイ装置を提供する。【解決手段】ベースフィルム１１と、ベースフィルム１１の両面に所定の間隔でストライプ状に一方向に延びて配置された第１有色パターン部１２と、ベースフィルム１１の両面のうち少なくとも一面に形成された第２有色パターン部１３と、を備え、第１有色パターン部１２及び第２有色パターン部１３は、導電性を有し、第２有色パターン部１３は、第１有色パターン部１２と交差するフィルタ１０及びそれを備えるプラズマディスプレイ装置である。【選択図】図１
2008227488.tif 000002
【特許請求の範囲】
【請求項１】
ベースフィルムと、
前記ベースフィルムの両面に所定の間隔でストライプ状に一方向に延びて配置された第１有色パターン部と、
前記ベースフィルムの両面のうち少なくとも一面に形成された第２有色パターン部と、を備え、
前記第１有色パターン部及び第２有色パターン部は、導電性を有し、前記第２有色パターン部は、前記第１有色パターン部と交差することを特徴とするフィルタ。
【請求項２】
前記第１有色パターン部は、前記ベースフィルムの一面及び他面に互いに対応する位置に配置されるように同じパターンで形成されたことを特徴とする請求項１に記載のフィルタ。
【請求項３】
前記第２有色パターン部の幅は、前記第１有色パターン部の幅より狭いことを特徴とする請求項１に記載のフィルタ。
【請求項４】
前記第１有色パターン部及び前記第２有色パターン部は、導電性金属を含むことを特徴とする請求項１に記載のフィルタ。
【請求項５】
前記金属は、Ｔｉ、Ｃｕ、Ｎｉ、Ｍｎ、Ｃｒ、Ｆｅ、Ａｇ及びＡｌからなる群から選択されたいずれか一つを含むことを特徴とする請求項４に記載のフィルタ。
【請求項６】
前記第１有色パターン部及び前記第２有色パターン部は、導電性カーボンブラックを含むことを特徴とする請求項１に記載のフィルタ。
【請求項７】
前記第１有色パターン部及び前記第２有色パターン部は、アゾ系金属化合物を含むことを特徴とする請求項１に記載のフィルタ。
【請求項８】
前記第１有色パターン部の幅は、１ないし２００μｍであることを特徴とする請求項１に記載のフィルタ。
【請求項９】
前記第１有色パターン部の厚さは、０．００１ないし２００μｍであることを特徴とする請求項１に記載のフィルタ。
【請求項１０】
前記第１有色パターン部の間隔は、１ないし３００μｍであることを特徴とする請求項１に記載のフィルタ。
【請求項１１】
前記第２有色パターン部の幅は、１ないし１００μｍであることを特徴とする請求項１に記載のフィルタ。
【請求項１２】
前記第２有色パターン部の間隔は、１ないし５００μｍであることを特徴とする請求項１に記載のフィルタ。
【請求項１３】
前記第１有色パターン部の前記ベースフィルムに向かう方向の反対面に形成された反射防止層をさらに備えることを特徴とする請求項１に記載のフィルタ。
【請求項１４】
前記第１有色パターン部と前記反射防止層との間に介在する粘着層をさらに備えることを特徴とする請求項１３に記載のフィルタ。
【請求項１５】
請求項１ないし１４のうちいずれか一項に記載のフィルタを備えるプラズマディスプレイ装置。
【発明の詳細な説明】
【技術分野】
【０００１】
本発明は、フィルタ及びそれを備えるプラズマディスプレイ装置に係り、特にコントラストを向上させ、電磁波を容易に遮断できるフィルタ及びそれを備えるプラズマディスプレイ装置に関する。
【背景技術】
【０００２】
プラズマディスプレイパネル（ＰＤＰ）を利用するプラズマディスプレイ装置は、気体放電現象を利用して画像を表示する平板ディスプレイ装置であって、輝度、コントラスト、残像及び視野角などの各種表示能力が優秀であり、薄形であり、大画面表示が可能であるので、次世代の大型平板ディスプレイ装置として脚光を浴びている。
【０００３】
従来のＰＤＰでは、前面ガラス基板の内部表面には、ディスプレイ電極に該当する一対の透明なＸ電極及びＹ電極からなる放電電極が形成され、背面ガラス基板の内部表面には、アドレス電極が形成される。放電電極は、Ｘ電極とＹ電極とが一対をなし、その間では作動時に維持放電が発生する。
【０００４】
プラズマディスプレイ装置が駆動しているとき、外光がプラズマディスプレイ装置に入射すると、入射した外光はプラズマディスプレイ装置により反射されうる。反射した外光により、プラズマディスプレイ装置のコントラストが低下してしまい、画質を向上するのに限界がある。
【０００５】
また、プラズマディスプレイ装置が駆動しているとき、プラズマディスプレイ装置から電磁波が発生する。電磁波は、人体に有害であるという問題点や、プラズマディスプレイ装置に含まれる電子部品を誤作動させるという問題点がある。
【発明の開示】
【発明が解決しようとする課題】
【０００６】
本発明の目的は、コントラストを向上し、電磁波を容易に遮断できるフィルタ及びそれを備えるプラズマディスプレイ装置を提供する。
【課題を解決するための手段】
【０００７】
前記目的を達成するために、本発明は、ベースフィルムと、前記ベースフィルムの両面に所定の間隔でストライプ状に一方向に延びて配置された第１有色パターン部と、前記ベースフィルムの両面のうち少なくとも一面に形成された第２有色パターン部と、を備え、前記第１有色パターン部及び第２有色パターン部は、導電性を有し、前記第２有色パターン部は、前記第１有色パターン部と交差するフィルタ、及びそれを備えるプラズマディスプレイ装置を開示する。
【０００８】
本発明において、前記第１有色パターン部は、前記ベースフィルムの一面及び他面に互いに対応する位置に配置されるように同じパターンで形成されうる。
【０００９】
本発明において、前記第１有色パターン部及び前記第２有色パターン部は、導電性金属を含み、本発明において、前記金属は、Ｔｉ、Ｃｕ、Ｎｉ、Ｍｎ、Ｃｒ、Ｆｅ、Ａｇ及びＡｌからなる群から選択されたいずれか一つを含みうる。
【００１０】
本発明において、前記第１有色パターン部及び前記第２有色パターン部は、導電性カーボンブラックを含みうる。
【００１１】
本発明において、前記第１有色パターン部及び前記第２有色パターン部は、アゾ系金属化合物を含みうる。
【００１２】
本発明において、前記第１有色パターン部の幅は、１ないし２００μｍであり、厚さは、０．００１ないし２００μｍであり、間隔は、１ないし３００μｍでありうる。
【００１３】
本発明において、前記第２有色パターン部の幅は、１ないし１００μｍであり、間隔は、１ないし５００μｍでありうる。
【００１４】
本発明において、前記第１有色パターン部の前記ベースフィルムに向かう方向の反対面に形成された反射防止層をさらに備えうる。
【００１５】
本発明において、前記第１有色パターン部と前記反射防止層との間に介在する粘着層をさらに備えうる。
【００１６】
本発明の他の側面によれば、本発明において、前述したフィルタを備えるプラズマディスプレイ装置を開示する。
【発明の効果】
【００１７】
本発明によるフィルタ及びそれを備えるプラズマディスプレイ装置は、コントラストを向上させ、電磁波を容易に遮断できる。
【発明を実施するための最良の形態】
【００１８】
以下、添付された図面に示した本発明による実施形態を参照して、本発明の構成及び作用を詳細に説明する。
【００１９】
図１は、本発明の一実施形態によるフィルタの概略的な分離斜視図であり、図２は、図１の第１有色パターン部及び第２有色パターン部の配置位置を示す概略的な平面図である。図３は、図１のＩＩＩ−ＩＩＩ線の部分断面図であり、図４は、図１のＩＶ−ＩＶ線の部分断面図である。
【００２０】
フィルタ１０は、ベースフィルム１１、第１有色パターン部１２及び第２有色パターン部１３を備える。ベースフィルム１１は、可視光線を透過する透明な材質で形成する。しかし、コントラストを向上させるか、または色温度を向上させるために着色され、着色条件を調節することによって可視光の透過率を調節することもできる。ベースフィルム１１は、ポリエーテルスルホン（ＰＥＳ）、ポリアクリレート（ＰＡＲ）、ポリエーテルイミド（ＰＥＩ）、ポリエチレンナフタレート（ＰＥＮ）、ポリエチレンテレフタレート（ＰＥＴ）、ポリフェニレンサルファイド（ＰＰＳ）、ポリアリレート、ポリイミド、ポリカーボネート（ＰＣ）、セルローストリアセテート（ＴＡＣ）、セルロースアセテートプロピオネート（ＣＡＰ）などを利用して形成されうる。ベースフィルム１１は、平板状を有し、厚さは、１０ないし５００μｍに形成できる。
【００２１】
第１有色パターン部１２は、ベースフィルム１１の上面及び下面に形成される。第１有色パターン部１２は、一定な間隔でストライプ状に一方向に延びるように形成される。第１有色パターン部１２は、可視光線に対する吸収率の高い材質で形成され、特に明度及び彩度の低い黒色を有するように形成できる。また、図示していないが、第１有色パターン部１２は、表面に酸化膜を形成して、表面にのみ外光を吸収する物質で薄膜を形成してもよい。第１有色パターン部１２は、導電性を有しうる。導電性を有するために、第１有色パターン部１２は、導電性金属を含み、Ｔｉ、Ｃｕ、Ｎｉ、Ｍｎ、Ｃｒ、Ｆｅ、Ａｇ及びＡｌからなる群から選択されたいずれか一つを含む。例えば、第１有色パターン部１２は、ＴｉＯ、ＣｕＯ、ＮｉＯ、ＭｎＯ２、Ｃｒ２Ｏ３、Ｆｅ２Ｏ３などが使われる。第１有色パターン部１２は、導電性カーボンブラックまたはアゾ系金属化合物を含むこともできる。第１有色パターン部１２が導電性を有する場合、フィルタ１０は、電磁波遮蔽層の役割も兼ねる。
【００２２】
第１有色パターン部１２の幅Ｗ１は、１ないし２００μｍに形成する。幅Ｗ１が狭ければ、透過率は向上するが、電磁波の遮蔽効果及びコントラストの向上効果は低下する。幅Ｗ１が広ければ、電磁波の遮蔽効果及びコントラストの向上効果は向上するが、透過率が低下する。したがって、第１有色パターン部１２の幅Ｗ１を工程条件に合わせて適切に決定する必要がある。
【００２３】
第１有色パターン部１２の厚さｔ１は、０．００１ないし２００μｍに形成する。厚さｔ１が薄ければ、フィルタ１０の全体的な厚さが縮小してフィルタ１０が付着されるディスプレイ装置を薄膜化しやすいが、電磁波の遮蔽効果及びコントラストの向上効果は低下する。厚さｔ１が厚ければ、第１有色パターン部１２の製造が容易であり、電磁波の遮蔽効果及びコントラストの向上効果は向上するが、フィルタ１０が全体的に厚くなって、後続工程でフィルタ１０上に反射防止膜などを形成する時に相互間の結合力が低下するという問題がある。
【００２４】
第１有色パターン部１２は、一定な間隔Ｐ１をおいて形成されている。第１有色パターン部１２の間隔は、１ないし３００μｍでありうる。第１有色パターン部１２の間隔Ｐ１が狭すぎれば、透過率が低下するので、間隔Ｐ１は、１μｍ以上に形成する必要がある。間隔Ｐ１が広すぎれば、電磁波の遮蔽効果及びコントラストの向上効果が低下するので、３００μｍ以下に形成する必要がある。
【００２５】
ベースフィルム１１の両面のうち一面に第２有色パターン部１３を形成する。第２有色パターン部１３は、第１有色パターン部１２と交差するように形成する。第２有色パターン部１３は、導電性を有する。導電性を有するために、第２有色パターン部１３は、導電性金属を含み、Ｔｉ、Ｃｕ、Ｎｉ、Ｍｎ、Ｃｒ、Ｆｅ、Ａｇ及びＡｌからなる群から選択されたいずれか一つを含む。例えば、第２有色パターン部１３は、ＴｉＯ、ＣｕＯ、ＮｉＯ、ＭｎＯ２、Ｃｒ２Ｏ３、Ｆｅ２Ｏ３などが使われる。第２有色パターン部１３は、導電性カーボンブラックまたはアゾ系金属化合物を含むこともできる。第２有色パターン部１３が導電性を有する場合、フィルタ１０は電磁波を遮蔽できる。
【００２６】
第２有色パターン部１３の幅Ｗ２は、第１有色パターン部１２の幅Ｗ１より狭いか、または同一に形成する。第２有色パターン部１３の幅Ｗ２は、１ないし１００μｍに形成する。幅Ｗ２が狭すぎれば、電磁波の遮蔽効果及びコントラストの向上効果が低下するので、幅Ｗ２は、１μｍ以上に形成する必要がある。幅Ｗ２が広すぎれば、透過率が低下するので、幅Ｗ２は、１００μｍ以下に形成する必要がある。
【００２７】
第２有色パターン部１３は、一定な間隔Ｐ２をおいて形成されている。第２有色パターン部１３の間隔は、１ないし５００μｍでありうる。第２有色パターン部１３の間隔Ｐ２が狭すぎれば、透過率が低下するので、間隔Ｐ２は、１μｍ以上に形成する。間隔Ｐ２が広すぎれば、電磁波の遮蔽効果及びコントラストの向上効果が低下するので、５００μｍ以下に形成する。
【００２８】
第２有色パターン部１３の厚さｔ２は、０．００１ないし２００μｍに形成する。厚さｔ２が薄ければ、フィルタ１０の全体的な厚さが縮小してフィルタ１０が付着されるディスプレイ装置を薄膜化しやすいが、電磁波の遮蔽効果及びコントラストの向上効果は低下する。厚さｔ２が厚ければ、第２有色パターン部１３の製造が容易であり、電磁波の遮蔽効果及びコントラストの向上効果は向上するが、フィルタ１０が全体的に厚くなって、後続工程でフィルタ１０上に反射防止膜などを形成する時に相互間の結合力が低下するという問題がある。
【００２９】
第１有色パターン部１２は、ベースフィルム１１の両面に配置されるので、一面にのみ配置される時より外光の反射を防止する効果が向上する。しかし、フィルタ１０が装着されるディスプレイ装置から発生する可視光線を遮蔽してしまう効果が生じる。かかる問題を解決するために、ベースフィルム１１の両面に形成される第１有色パターン部１２は、ベースフィルム１１の上面及び下面の互いに対応する位置に配置されるように同じパターンで形成する。
【００３０】
第１有色パターン部１２及び第２有色パターン部１３は、導電性を有するので、第１有色パターン部１２及び第２有色パターン部１３では電磁波を遮蔽できる。また、第１有色パターン部１２及び第２有色パターン部１３は、図２に示したように互いに交差するので、第１有色パターン部１２と第２有色パターン部１３の電磁波の遮蔽効果が向上する。しかし、第２有色パターン部１３を形成すれば、フィルタ１０が装着されるディスプレイ装置で発生する可視光線が具現される領域が縮小するおそれがある。したがって、第２有色パターン部１３の幅は、第１有色パターン部１２の幅より狭く微細な導線で形成することが望ましく、第２有色パターン部１３の間隔は、第１有色パターン部１２の間隔より広く形成することが望ましい。
【００３１】
前述したように構成された本発明の一実施形態によるフィルタ１０の作動を説明すれば、次の通りである。
【００３２】
フィルタ１０の一面に外光が入射する場合、第１有色パターン部１２が外部から入射する可視光線を吸収して可視光線を遮断する。特に、第１有色パターン部１２は、ベースフィルム１１の両面に形成されることで、外光の反射を防止する効果がさらに向上する。結果的に、外光の反射を効果的に防止してコントラストが向上する。第２有色パターン部１３が第１有色パターン部１２と交差するように形成され、第１有色パターン部１２及び第２有色パターン部１３は、いずれも導電性を有するので、電磁波の遮蔽能力が向上する。
【００３３】
図５は、本発明の一実施形態によるフィルタの他の変形例を示す断面図である。以下では、前述した実施形態と異なる点を中心に説明する。同じ参照符号は同じ部材を表す。
【００３４】
フィルタ２０は、ベースフィルム１１、第１有色パターン部（図示せず）及び第２有色パターン部２３を備える。第２有色パターン部２３は、図４に示したフィルタ１０と異なり、ベースフィルム１１の両面に形成される。第２有色パターン部２３は、第１有色パターン部（図示せず）と交差するように形成される。ベースフィルム１１の両面にいずれも第２有色パターン部２３が形成されて、電磁気の遮蔽効果を向上させる。
【００３５】
図６は、本発明の他の実施形態によるフィルタ３０の概略的な断面図である。
【００３６】
フィルタ３０は、ベースフィルム１１、第１有色パターン部１２、第２有色パターン部（図示せず）及び反射防止層２４を備える。反射防止層２４は、内部にハードコーティング物質を含むことが望ましい。フィルタ３０の使用時に、外面が外力による衝撃により損傷されうる。したがって、反射防止層２４の内部にハードコーティング物質を含むことによって、外力によるスクラッチなどを防止できる。ハードコーティング物質は、バインダーとしてポリマーを含み、ポリマーとしては、アクリル系、ウレタン系、エポキシ系、シロキサン系ポリマーが利用されるか、またはオリゴマーのような紫外線硬化樹脂が利用されうる。強度の向上のために、ハードコーティング物質は、シリカ系のフィラーをさらに備える。また、反射防止層２４の内部にハードコーティング物質を含まず、別途のハードコーティング層を反射防止層２４上に形成することもできる。
【００３７】
反射防止層２４は、厚さが２．０ないし７．０μｍ、鉛筆硬度が２ないし３Ｈであることが望ましく、ヘイズが１．０ないし３．０％であることが望ましいが、本発明はこれに限定されない。
【００３８】
第１有色パターン部１２と反射防止層２４との間に粘着層２２が介在される。粘着層２２は、第１有色パターン部１２と反射防止層２４との間、ベースフィルム１１と反射防止層２４との間で層間の接着力を向上させる機能を行う。
【００３９】
粘着層２２は、熱可塑性、ＵＶ硬化性樹脂を含むことが望ましいが、例えばアクリレート系樹脂、ＰＳＡ（Ｐｒｅｓｓｕｒｅ  Ｓｅｎｓｉｔｉｖｅ  Ａｄｈｅｓｉｖｅ）などがある。粘着層２２は、ディップコーティング法、エアーナイフ法などを利用して形成されうる。
【００４０】
粘着層２２は、近赤外線を吸収する化合物をさらに含みうる。かかる化合物としては、銅原子を含むレジン、銅化合物や燐化合物を含有するレジンが利用される。また、粘着層２２は、色補正を行うように染料や顔料のような色素をさらに含みうる。色素は、可視光線領域である約４００ないし７００ｎｍの波長のうち一定波長の光を選択的に吸収する機能を行う。特に、ＰＤＰの放電時、放電ガスであるネオンにより約５８５ｎｍ波長付近の不要な可視光が発生する。かかる可視光を吸収するために、粘着層２２は、シアニン系、スクアリリウム系、アゾメチン系、キサンテン系、オキソノール系、アゾ系化合物を含みうる。
【００４１】
一方、本発明のフィルタ３０は、近赤外線遮断層（図示せず）及び／または色補正層（図示せず）を選択的にさらに備えうる。近赤外線遮断機能は、前記第１及び第２有色パターン部１２、１３や粘着層２２によっても達成されうるが、必要な場合、別途の層を追加して近赤外線遮断機能を強化できる。色補正層は、本発明によるフィルタ３０が適用されるディスプレイ装置から入射された可視光の色純度が低いか、または色温度を補正する必要がある時に利用される。
【００４２】
図７は、本発明の一実施形態によるフィルタを備えるプラズマディスプレイ装置の概略的な分離斜視図であり、図８は、図７のＶＩＩＩ−ＶＩＩＩ線の断面図である。
【００４３】
プラズマディスプレイ装置１００は、ＰＤＰ１５０、シャーシベース１３０及び回路部１４０を備える。そして、本発明の一実施形態によるフィルタ１０がＰＤＰ１５０の前面に付着される。
【００４４】
フィルタ１０は、ＰＤＰ１５０の前面に粘着層（図示せず）により付着されうる。ここでは、図１に示した本発明の一実施形態によるフィルタ１０を指しつつ説明するが、これに限定されず、他の実施形態によるフィルタ２０、３０も使われうる。
【００４５】
フィルタ１０によりＰＤＰ１５０の作動中に外部から入射した可視光線は、第１有色パターン部１２により吸収されて遮断されることによって、コントラストは向上する。また、第１有色パターン部１２が導電性を有する場合、ＰＤＰ１５０の作動中に発生する電磁波が遮断される。特に、第１有色パターン部１２と交差するように形成される導電性の第２有色パターン部１３を備えることで、更に電磁波を容易に遮断できる。また、赤外線やネオン光が遮断されるだけでなく、フィルタ１０がＰＤＰ１５０の前面に直接的に付着されるため、二重映像の問題が基本的に解消される。
【００４６】
また、従来の強化ガラスフィルタに比べて重量が減少し、コストが低減する効果を有する。
【００４７】
ＰＤＰ１５０は、画像を表示し、互いに対向して結合する前面パネル１５１と背面パネル１５２とを備える。前面パネル１５１及び背面パネル１５２には、それぞれ電圧が印加される複数の電極が配列されており、それらの電極は、誘電体層により覆われうる。前面パネル１５１と背面パネル１５２との間には、放電が起きる複数個の放電セルを限定する隔壁が形成され、隔壁上には、赤色、緑色、青色の蛍光体が塗布される。さらに、放電セル内には、放電気体が配置されるが、Ｘｅガスが使われる。ＰＤＰ１５０の後方には、シャーシベース１３０が設置されている。
【００４８】
シャーシベース１３０は、ＰＤＰ１５０を支持し、両面テープ１５４のような付着手段によりＰＤＰ１５０と結合される。また、シャーシベース１３０は、ＰＤＰ１５０で発生した熱を伝達されて外部に円滑に放出する機能を備える。このために、シャーシベース１３０は、アルミニウムのような熱放出性に優れた材質からなりうる。シャーシベース１３０は、鋳造やプレス加工により製作されうる。
【００４９】
ＰＤＰ１５０とシャーシベース１３０との間には、熱伝導シートのような熱伝達媒体１５３が挿入されている。熱伝達媒体１５３は、プラズマディスプレイ装置１００を駆動するとき、ＰＤＰ１５０で発生する熱を分散させて局部的な熱の集中を防止する。また、熱伝達媒体１５３は、ＰＤＰ１５０で発生した熱をシャーシベース１３０に円滑に伝達することによって、熱を外部に容易に放出させることができる。
【００５０】
シャーシベース１３０の後方部に回路部１４０が設置される。回路部１４０は、ＰＤＰ１５０を駆動させる電気的信号を生成して、それをＰＤＰ１５０へ伝送する。かかる回路部１４０とＰＤＰ１５０との間にそれらを連結する信号伝達手段１６０が存在する。
【００５１】
信号伝達手段１６０は、回路部１４０とＰＤＰ１５０との電気的連結を媒介するものであって、テープキャリアパッケージやフレキシブルプリンテッドケーブルのようなものが使われる。
【００５２】
信号伝達手段１６０には、回路部１４０からＰＤＰ１５０への信号伝達をオン／オフする集積回路のような電子素子が実装され、テープ形態の配線部を備える。
【００５３】
信号伝達手段１６０を取り囲むように、シャーシベース１３０の背面にカバープレート（図示せず）が配置されうる。カバープレートは、信号伝達手段１６０から発生する熱を外部に円滑に放出させ、信号伝達手段１６０の損傷を防止する機能を行い、金属を含む材質からなりうる。
【００５４】
一方、これまで、本発明によるフィルタ１０が適用された例を説明するにおいて、プラズマディスプレイ装置１００のみに限定して説明したが、本発明によるフィルタ１０は、多様なディスプレイ装置の前面に付着されて使われうる。
【００５５】
本発明は、図面に示した実施形態を参考にして説明されたが、これは、例示的なものに過ぎず、当業者であれば、これから多様な変形及び均等な他の実施形態が可能であるという点を理解できるであろう。したがって、本発明の真の技術的保護範囲は、特許請求の範囲の技術的思想により決まらねばならない。
【産業上の利用可能性】
【００５６】
本発明は、ディスプレイ関連の技術分野に適用可能である。
【図面の簡単な説明】
【００５７】
【図１】本発明の一実施形態によるフィルタの概略的な分離斜視図である。
【図２】図１の第１有色パターン部及び第２有色パターン部の配置位置を示す概略的な平面図である。
【図３】図１のＩＩＩ−ＩＩＩ線の部分断面図である。
【図４】図１のＩＶ−ＩＶ線の部分断面図である。
【図５】本発明の一実施形態によるフィルタの他の変形例を示す断面図である。
【図６】本発明の他の実施形態によるフィルタの概略的な断面図である。
【図７】本発明の一実施形態によるフィルタを備えるプラズマディスプレイ装置の概略的な分離斜視図である。
【図８】図７のＶＩＩＩ−ＶＩＩＩ線の部分断面図である。
【符号の説明】
【００５８】
１０、２０、３０    フィルタ、
１１    ベースフィルム、
１２    第１有色パターン部、
１３、２３    第２有色パターン部、
２２    粘着層、
２４    反射防止層、
１００    プラズマディスプレイ装置、
１３０    シャーシベース、
１４０    回路部、
１５０    ＰＤＰ、
１５１    前面パネル、
１５２    背面パネル、
１５３    熱伝達媒体、
１５４    両面テープ、
１６０    信号伝達手段。
【図１】
2008227488.tif 000003
【図２】
2008227488.tif 000004
【図３】
2008227488.tif 000005
【図４】
2008227488.tif 000006
【図５】
2008227488.tif 000007
【図６】
2008227488.tif 000008
【図７】
2008227488.tif 000009
【図８】
2008227488.tif 000010